(57)【要約】【課題】適切な注射目的物質の射出を実現し得る構成を有する注射器を提供する。【解決手段】ピストンにより加圧された注射目的物質が流れる流路を含み、該流路の開口端から注射対象領域に対して該注射目的物質を射出するノズル部と、ノズル部を保持した状態でハウジングに固定されるノズルホルダと、を備える注射器であって、注射目的物質を射出するために駆動部によるエネルギー発生が行われる前において、ピストンホルダ内の進路に保持されているピストンの、該ピストンの進行方向側に、注射目的物質が収容される収容空間が形成され、ピストンホルダは、ピストンの進行方向においてノズル部と直接に接触しない非接触状態でハウジング内に固定され、駆動部によるエネルギー発生が行われる段階であっても、該非接触状態が維持される。【選択図】図１
2014104112.tif 000002
【特許請求の範囲】
【請求項１】
注射対象領域に注射目的物質を注射する注射器であって、
ハウジングと、
前記注射目的物質を射出するためのエネルギーを発生させる駆動部と、
前記駆動部によって発生されたエネルギーによって推進するピストンの進路を画定するピストンホルダと、
前記ピストンにより加圧された前記注射目的物質が流れる流路を含み、該流路の開口端から注射対象領域に対して該注射目的物質を射出するノズル部と、
前記ノズル部を保持した状態で前記ハウジングに固定されるノズルホルダと、を備え、
前記駆動部によるエネルギー発生が行われる前において、前記ピストンホルダ内の前記進路に保持されている前記ピストンの、該ピストンの進行方向側に、前記注射目的物質が収容される収容空間が形成され、
前記ピストンホルダは、前記ピストンの進行方向において前記ノズル部と直接に接触しない非接触状態で前記ハウジング内に固定され、前記駆動部によるエネルギー発生が行われる段階であっても、該非接触状態が維持される、
注射器。
【請求項２】
前記ピストンホルダは、前記ピストンの進行方向において前記ノズルホルダと接触して前記ハウジング内に固定されることで、該ピストンホルダと前記ノズル部との前記非接触状態が形成される、
請求項１に記載の注射器。
【請求項３】
前記ノズル部は樹脂で形成される、
請求項１又は請求項２に記載の注射器。
【請求項４】
前記駆動部は、電源部からの印加電圧により火薬又はガス発生剤が燃焼する燃焼室を有し、
前記ピストンホルダは、該ピストンホルダの後端部の一部が前記燃焼室に露出された状態で、前記ハウジング内に固定される、
請求項１から請求項３の何れか１項に記載の注射器。
【請求項５】
前記ピストンホルダの先端部と前記ノズル部の後端部との間に、弾性部材が挟まれて配置される、
請求項１から請求項４の何れか１項に記載の注射器。
【発明の詳細な説明】
【技術分野】
【０００１】
本発明は、注射目的物質を注射対象領域に注射する注射器に関する。
【背景技術】
【０００２】
火薬の点火により生じる燃焼ガスのエネルギーを利用して、注射成分を射出する注射器が広く開示されている。例えば、特許文献１に記載の注射器では、推進薬の燃焼により、ピストンと一体に形成された推進表面体が加圧され、該推進表面体の外周面とハウジングの内面とで画定される進路に沿って該推進表面体が推進することになる。そして、推進表面体と一体的に形成されたピストンが、該推進表面体の推進に伴って、該ピストンの外周面とハウジングの内面とで画定される別の進路に沿って推進する。この最終的なピストンの推進により、ピストンの前方に配置された注射成分が射出される。
【先行技術文献】
【特許文献】
【０００３】
【特許文献１】特表２００４−５００９３３号公報
【発明の概要】
【発明が解決しようとする課題】
【０００４】
注射対象領域に対して注射目的物質を送り込む場合、当該注射目的物質を所定の場所に届けるべく、射出される注射目的物質にエネルギーを付与する駆動部が注射器に設けられる。そして、当該駆動部によって付与されたエネルギーを注射目的物質に伝えることで、効率的な且つ正確な注射の実現が図られることになる。ここで、注射目的によって注射目的物質に含まれる成分や、該成分を送り込むべき注射対象領域内の目的部位、特に深さ方向において認識される送り込むべき部位が異なる。例えば生体に対して注射を行う場合、生体の注射対象領域には、皮膚や筋肉、内臓等の様々な構造体が含まれ、これらの構造体を構成する生体組織は、その表面（注射を行う場合に、注射器が構造体に触れる表面）からの深さによってその機能が異なってくるためであり、注射液中の成分がその目的とする生体組織（目的部位）に届かなければ、その効果を適切に発揮させることが難しくなるからである。そのため、駆動部によってエネルギーが付与された注射目的物質が生体側に適切に導かれるよう、注射目的物質の流れを形成する流路を有するノズル部が、注射の前後にわたって、変形、破損せずに、所定の状態に維持される必要がある。
【０００５】
すなわち、注射器においては、注射目的物質の射出のための比較的大きなエネルギー付与と、適切な注射目的物質の射出のためのノズル部の状態維持とを両立しなければならず、両者の均衡が適切でなければ、好適な注射目的物質の生体への注射の実現が結局困難となる。例えば、注射目的物質の射出のためのエネルギーがノズル部に伝わり、その結果、ノズル部内の流路の形状や大きさに変形、破損等が生じた場合には、注射目的物質を生体内の所望の部位に届けることは困難となろう。
【０００６】
そこで、本発明は、上記した問題に鑑み、適切な注射目的物質の射出を実現し得る構成を有する注射器を提供することを目的とする。
【課題を解決するための手段】
【０００７】
上記課題を解決するために、本発明は、駆動部によって生じたエネルギーが伝えられるピストンの進路を画定するピストンホルダと、ピストンによって加圧され最終的に注射対象領域に向けて射出される注射目的物質の流路を形成するノズル部との位置関係に着目した。これは、ピストンホルダには少なからず駆動部からのエネルギーが伝わると考えられ
、そのためピストンホルダからノズル部に当該エネルギーが不必要に伝われば、ノズル部に不要な力が加わることになり、ノズル部の変形や破損を引き起こす要因となり得るからである。
【０００８】
具体的には、本発明は、注射対象領域に注射目的物質を注射する注射器であって、ハウジングと、前記注射目的物質を射出するためのエネルギーを発生させる駆動部と、前記駆動部によって発生されたエネルギーによって推進するピストンの進路を画定するピストンホルダと、前記ピストンにより加圧された前記注射目的物質が流れる流路を含み、該流路の開口端から注射対象領域に対して該注射目的物質を射出するノズル部と、前記ノズル部を保持した状態で前記ハウジングに固定されるノズルホルダと、を備える。そして、前記駆動部によるエネルギー発生が行われる前において、前記ピストンホルダ内の前記進路に保持されている前記ピストンの、該ピストンの進行方向側に、前記注射目的物質が収容される収容空間が形成される。また、前記ピストンホルダは、前記ピストンの進行方向において前記ノズル部と直接に接触しない非接触状態で前記ハウジング内に固定され、前記駆動部によるエネルギー発生が行われる段階であっても、該非接触状態が維持されるように構成される。
【０００９】
本発明に係る注射器において、駆動部は注射目的物質を射出するためのエネルギーを発生し、ピストンに当該エネルギーを伝えることが可能であれば、エネルギー源としては、様々な公知のエネルギー発生態様を採用することができる。例えば、点火装置によって点火される点火薬や、燃焼によりガスを発生させるガス発生剤を採用することができる。なお、点火薬としては、例えば、ジルコニウムと過塩素酸カリウムを含む火薬、水素化チタンと過塩素酸カリウムを含む火薬、チタンと過塩素酸カリウムを含む火薬、アルミニウムと過塩素酸カリウムを含む火薬、アルミニウムと酸化ビスマスを含む火薬、アルミニウムと酸化モリブデンを含む火薬、アルミニウムと酸化銅を含む火薬、アルミニウムと酸化鉄を含む火薬のうち何れか一つの火薬、又はこれらのうち複数の組み合わせからなる火薬であってもよい。これらの点火薬の特徴としては、その燃焼生成物が高温状態では気体であっても常温では気体成分を含まないため、点火後燃焼生成物が直ちに凝縮を行う結果、本発明の注射器を生体に対する注射に用いた場合、生体の注射対象領域のより浅い部位への効率的な注射が可能となる。また、上記以外の駆動部の態様として、バネ等の弾性部材のエネルギーや圧縮ガスのエネルギーを射出のためのエネルギーに利用してもよい。
【００１０】
上記駆動部による射出のためのエネルギーは、直接に又は間接にピストンに伝えられ、当該ピストンの推進力となる。このピストンは、ピストンホルダ内に画定された進路を、上記エネルギーによってノズル部側に向かって推進していくことになる。そして、ピストンの進行方向側に収容されている注射目的物質に対してピストンが向かっていくことで、注射目的物質にエネルギーが伝えられ、ノズル部に形成された流路に沿って注射目的物質が押し出され、最終的に注射対象領域に向けて射出される。
【００１１】
ここで、本発明に係る注射器においては、ノズル部はノズルホルダを介してハウジング側に固定される。すなわち、上述した注射目的物質が流れるための流路が形成されたノズル部はハウジングに直接固定されるのではなく、ノズルホルダを介して間接的に固定される。このようなノズル部の固定態様を採用することで、注射目的物質の注射が終わる度にノズル部を新たなノズル部に容易に交換することができ、常に衛生的な注射目的物質の注射を行うことができる。また、注射の目的に応じて、例えば、注射目的物質を送り届けるべき注射対象領域の注射深さ等に応じて、ノズル部の形状、大きさ（流路の長さやノズル部先端部分の射出口の径など）を当該目的に適った適切なものに容易に交換することも可能となる。
【００１２】
一方で、ノズル部に形成された流路は、射出中の注射目的物質の挙動を決める重要な構
成である。そのため、駆動部によって発生したエネルギーによりノズル部が変形、破損して流路の形状等に影響を及ぼした場合、注射目的物質の適切な射出が困難となり得る。特に、上記の通り、ノズル部を使用の度に交換するために、当該ノズル部が大量生産に好適な樹脂等で形成されていると、外部から受ける力の影響を受けやすく、流路の変形等を引き起こしやすい。この場合は、少なくともノズルホルダやピストンホルダは、ノズル部よりも強度が担保される部材（例えば金属など）で形成されることが出来る。
【００１３】
そこで、本発明に係る注射器においては、注射目的物質の射出の前後において、ピストンホルダと、ノズルホルダによって固定されているノズル部とは、互いに直接に接触しない非接触状態が維持されるように構成される。ピストンホルダはピストンがその内部の進路を推進することにより、ピストンからの摩擦力によりエネルギーの一部が間接的に伝わり、もしくは駆動部によるエネルギーの一部が直接に伝わり得るものであるが、ノズル部のハウジングへの固定状態において、当該ピストンホルダとノズル部とを非接触状態に維持することにより、少なくともピストンホルダを介した不必要なエネルギーをノズル部が受けてしまうことを回避することができ、ノズル部の変形、破損を可及的に抑制し得る。このような構成を採用することにより、本発明に係る注射器での注射目的物質の射出を、常に好適な状態に保つことが可能となる。
【００１４】
なお、本発明に係る注射器においては、注射目的物質は、注射対象領域の目的部位で効能が期待される成分を含むものである。そのため、少なくとも駆動部によるエネルギーでの射出が可能であれば、収容空間における注射目的物質の収容状態や、液体やゲル状等の流体、粉体、粒状の固体等の注射目的物質の具体的な物理的形態は問われない。たとえば、注射目的物質は液体であり、また固体であっても射出を可能とする流動性が担保されればゲル状の固体であってもよい。そして、注射目的物質には、目的部位に送り込むべき成分が含まれ、当該成分は注射目的物質の内部に溶解した状態で存在してもよく、又は当該成分が溶解せずに単に混合された状態であってもよい。一例を挙げれば、送りこむべき成分として、抗体増強のためのワクチン、美容のためのタンパク質、毛髪再生用の培養細胞等があり、これらが射出可能となるように、液体、ゲル状等の流体に含まれることで注射目的物質が形成される。
【００１５】
ここで、上記注射器において、前記ピストンホルダは、前記ピストンの進行方向において前記ノズルホルダと接触して前記ハウジング内に固定されることで、該ピストンホルダと前記ノズル部との前記非接触状態が形成されてもよい。すなわち、ピストンホルダとノズルホルダは接触した状態でハウジング内に固定されるが、当該ピストンホルダと当該ノズルホルダ内に保持されているノズル部は、上述した非接触状態が維持された状態になっている。このような構成は、あくまでも本願発明に係る注射器に適用し得る例示的な構成であるが、当該構成を採用することで、ピストンホルダおよびノズルホルダをハウジング内に確実に固定することが可能となり、以て適切な注射目的物質の射出に資するものと考えられる。
【００１６】
上述までの注射器において、前記駆動部は、電源部からの印加電圧により火薬又はガス発生剤が燃焼する燃焼室を有し、前記ピストンホルダは、該ピストンホルダの後端部の一部が前記燃焼室に露出された状態で、前記ハウジング内に固定されるように構成されてもよい。ピストンホルダの後端部の一部が燃焼室に露出していることで、火薬又はガス発生剤の燃焼によって生じるエネルギーがピストンホルダにも直接に印加されるため、仮にノズル部がピストンホルダに接触していれば、その接触部位を介してエネルギーがノズル部に不必要に伝わるおそれがある。しかし、本発明に係る注射器においては、ピストンホルダとノズル部との間では、注射目的物質の射出の前後において上記非接触状態が維持されることから、ピストンホルダを介したノズル部への不必要な力の伝達を回避することができる。
【００１７】
ここで、上述までの注射器において、前記ピストンホルダの先端部（ノズル側に位置する端部）と前記ノズル部の後端部（ピストンホルダに面する側の端部）との間に、弾性部材が挟まれて配置されてもよい。すなわち、非接触状態が形成されているピストンホルダとノズル部との間に、上記弾性部材が挟まれて配置される。このような配置がなされることで、上記非接触状態を確実に維持することができる。また、弾性部材の弾性力により衝撃を減衰させ、ノズル部を変形、破損し得る力が当該ノズル部に掛かってしまうのを回避することが可能となる。
【発明の効果】
【００１８】
適切な注射目的物質の射出を実現し得る構成を有する注射器を提供することが可能となる。
【図面の簡単な説明】
【００１９】
【図１】本発明の第一の実施例に係る注射器の概略構成を示す図である。
【図２】図１に示す注射器に装着される点火器（点火装置）の概略構成を示す図である。
【図３】図１に示す注射器のハウジングに、各構成要素が装填される様子を示す図である。
【図４】本発明の第二の実施例に係る注射器の概略構成を示す図である。
【発明を実施するための形態】
【００２０】
以下に、図面を参照して本発明の実施形態に係る注射器１について説明する。なお、以下の実施形態の構成は例示であり、本発明はこの実施の形態の構成に限定されるものではない。
【実施例１】
【００２１】
ここで、図１は本発明の技術を、生体に対して注射を行う注射器に適用した注射器１の断面図である。注射器１は、本発明に係る注射目的物質に相当する注射液を、注射対象となる生体内の領域（例えば、動物の皮膚構造体）に直接に送り届ける注射針を有していない無針注射器である。なお、本実施例では、注射目的物質を液体としているが、これには生体内に注射される物質の内容や形態を限定する意図はない。上述の通り、例えば皮膚構造体に対して注射すべき物質はその治療目的に応じて様々であるため、皮膚構造体に届けるべき成分が当該治療目的に適応している限りにおいては、溶解していても溶解していなくてもよく、また注射目的物質も、エネルギーにより注射器１から皮膚構造体に対して射出され得るものであれば、その具体的な形態は不問であり、液体、ゲル状等様々な形態が採用できる。
【００２２】
注射器１は、その本体としてハウジング２を有しており、その内部において先端部から後端部にかけてノズルホルダ５、ピストンホルダ３、点火器ホルダ１２が一列に並べられている。そして、ハウジング２の後端部においてキャップ３０が、ハウジング２の後方側面に設けられたネジ部と螺合することで、ノズルホルダ５、ピストンホルダ３、点火器ホルダ１２に対して力を加え、これらの構成要素をハウジング２内に固定し、注射器１を使用可能状態とすることができる。具体的には後述するようにハウジング２の先端部に形成されている段部２ｃに対して、ノズルホルダ５、ピストンホルダ３、点火器ホルダ１２をキャップ３０によって挟持している。なお、本実施例において、「先端部」と称する場合は、後述するように注射液の射出方向（ピストン４の推進方向）における構成要素の端部を意味するものであり、一方で、「後端部」と称する場合は、先端部とは反対の側における構成要素の端部を意味するものである。
【００２３】
ここで、ハウジング２には、上記の通りノズルホルダ５、ピストンホルダ３、点火器ホルダ１２を収容するための空間を画定する内孔２ａを有している。更に、ハウジング２の先端部において、内孔２ａとハウジング２の外部とを連通するように形成される貫通孔２ｂが設けられている。貫通孔２ｂと内孔２ａの中心は同軸上に設けられ、貫通孔２ｂの内径は、内孔２ａの内径よりも小さく設定されている。そのため、ハウジング２の先端部側の内部には、段部２ｃが形成されている。
【００２４】
ここで、点火器ホルダ１２に取り付けられる点火器２０の例について、図２に基づいて説明する。点火器２０は電気式の点火装置であり、表面が絶縁カバーで覆われたカップ２１によって、点火薬２２を配置するための空間が該カップ２１内に画定される。そして、その空間に金属ヘッダ２４が配置され、その上面に筒状のチャージホルダ２３が設けられている。該チャージホルダ２３によって点火薬２２が保持される。この点火薬２２の底部には、片方の導電ピン２８と金属ヘッダ２４を電気的に接続したブリッジワイヤ２６が配線されている。なお、二本の導電ピン２８は非電圧印加時には互いが絶縁状態となるように、絶縁体２５を介して金属ヘッダ２４に固定される。さらに、二本の導電ピン２８が延出するカップ２１の開放口側は、樹脂２７によって導電ピン２８間の絶縁性を良好に維持した状態で保護されている。
【００２５】
このように構成される点火器２０においては、キャップ３０において接続された電源部（不図示）によって二本の導電ピン２８間に電圧印加されるとブリッジワイヤ２６に電流が流れ、それにより点火薬２２が燃焼する。なお、この電圧印加は、電源部のボタンをユーザが押下することで実現される。そして、電圧印加の結果、点火薬２２の燃焼による燃焼生成物はチャージホルダ２３の開口部から噴出されることになる。そこで、本発明においては、点火器２０での点火薬２２の燃焼生成物が、点火器ホルダ１２の内部に形成された燃焼室１１内に流れ込むように、点火器ホルダ１２に対する点火器２０の相対位置関係が設定されている。
【００２６】
なお、注射器１において用いられる点火薬２２として、好ましくは、ジルコニウムと過塩素酸カリウムを含む火薬（ＺＰＰ）、水素化チタンと過塩素酸カリウムを含む火薬（ＴＨＰＰ）、チタンと過塩素酸カリウムを含む火薬（ＴｉＰＰ）、アルミニウムと過塩素酸カリウムを含む火薬（ＡＰＰ）、アルミニウムと酸化ビスマスを含む火薬（ＡＢＯ）、アルミニウムと酸化モリブデンを含む火薬（ＡＭＯ）、アルミニウムと酸化銅を含む火薬（ＡＣＯ）、アルミニウムと酸化鉄を含む火薬（ＡＦＯ）、もしくはこれらの火薬のうちの複数の組合せからなる火薬が挙げられる。これらの火薬は、点火直後の燃焼時には高温高圧のプラズマを発生させるが、常温となり燃焼生成物が凝縮すると気体成分を含まないために発生圧力が急激に低下する特性を示す。なお、これら以外の火薬を点火薬として用いても構わない。
【００２７】
ここで、図１に示す燃焼室１１内には何も配置されていないが、点火薬２２の燃焼で生じる燃焼生成物によって燃焼しガスを発生させる公知のガス発生剤を、燃焼室１１内に配置するようにしてもよい。仮に燃焼室１１内にガス発生剤を配置させる場合、その一例としては、ニトロセルロース９８質量％、ジフェニルアミン０．８質量％、硫酸カリウム１．２質量％からなるシングルベース無煙火薬が挙げられる。また、エアバッグ用ガス発生器やシートベルトプリテンショナ用ガス発生器に使用されている各種ガス発生剤を用いることも可能である。このようなガス発生剤の併用は、上記点火薬２２のみの場合と異なり、燃焼時に発生した所定のガスは常温においても気体成分を含むため、発生圧力の低下率は小さい。さらに、当該ガス発生剤の燃焼時の燃焼完了時間は、上記点火薬２２と比べて極めて長いが、燃焼室１１内に配置されるときの該ガス発生剤の寸法や大きさ、形状、特に表面形状を調整することで、該ガス発生剤の燃焼完了時間を変化させることが可能である。このようにガス発生剤の量や形状、配置を調整することで、燃焼室１１内での発生圧
力を適宜調整できる。
【００２８】
次に、金属製のピストンホルダ３には、図１に示す注射器１の使用前において、金属製のピストン４を保持する貫通孔３１が形成されている。ピストンホルダ３は、ハウジング２の内孔２ａの内径とほぼ一致する外径を有する胴部３２と、胴部３２より小さい外径を有する首部３３を先端部側に有しており、貫通孔３１は、胴部３２の後端部側から首部３３の先端部側までを貫通する孔である。そして、ピストン４は、この貫通孔３１内を軸方向に沿って摺動可能となるように配置され、その一端（後端部側）が燃焼室１１側に露出し、他端（先端部側）には封止部材４ａが一体に取り付けられている。この封止部材４ａは、ピストン４の摺動に伴って注射液が円滑に貫通孔１４内を移動できるように、表面にシリコンオイルを薄く塗布したゴム製のものである。ピストン４や封止部材４ａとピストンホルダ３内の貫通孔３１との摩擦を低減するため、例えばフッ素ゴム製の封止部材を使用することが出来る。また貫通孔３１表面にシリコン処理を行うことも出来る。
【００２９】
さらに、注射器１の先端部側でピストンホルダ３に隣接して、注射液を射出するためのノズル部６を保持するノズルホルダ５が配置されている。ノズルホルダ５は、ハウジング２の内孔２ａの内径とほぼ一致する外径を有する胴部５１と、胴部５１より小さい外径であって、ハウジング２の貫通孔２ｂの内径とほぼ一致する外径を先端部側に有する首部５２を有している。更に、ノズルホルダ５には、ノズル部６を収容するための空間を画定する内孔５ａが形成されており、内孔５ａは、その先端部側において、ノズル部６の先端部分が外部に露出した状態で保持されるように、ノズル部６の表面形状に合わせてテーパー部５ｂが形成されている。
【００３０】
一方で、ノズル部６は、ノズルホルダ５の内孔５ａの内径とほぼ一致する外径を有するとともに、その先端部側には、ノズルホルダ５のテーパー部５ｂに対応するテーパー部が形成されることで、ノズルホルダ５内でのノズル部６の継続的な保持が可能とされる。ここで、ノズル部６には、注射器１から射出される注射液が最終的に流れる流路６ａが形成され、流路６ａは、注射器１の先端部側に開口する開口部６ｂを有する。更に、ノズル部６の中央部であって、図１に示す状態において、ピストン４に取り付けられた封止部材４ａに対向する部位に、液溜りを形成可能な程度の大きさを有する凹部６ｃが形成され、凹部６ｃは流路６ａと繋がっている。なお、当該凹部６ｃについては、後述する。
【００３１】
ノズル部６は、樹脂成形により大量生産が可能なものであり、注射液の射出ごとに新しいノズル部に交換可能であるように形成されている。この結果、ユーザは、注射液の注射を行う度に常に新しいノズル部６を使用でき、衛生的な注射が実現される。また、流路６ａの形状や大きさ等は、注射器１から射出される注射液の、射出後の挙動を決定付ける要素である。したがって、ノズル部６が上記の通り交換可能に形成されることで、注射すべき注射液を目標とする生体内の領域に送り込むのに適した流路を有するノズル部６を選択でき、以て当該注射液の射出を好適に実現することが可能となる。
【００３２】
上記までのように、ハウジング２内において、ノズル部６およびノズルホルダ５、ピストン４およびピストンホルダ３、点火器ホルダ１２が配置されると、図１に示す注射器１の使用前の状態では、ピストン４に取り付けられた封止部材４ａと、ノズル部６の凹部６ｃとの間に、注射液を収容可能な収容空間１３が形成される。図１の注射器１では、注射液は、注射器１が組み立てられる際に収容空間１３に装填されることになる。そして、後述するように、その装填された注射液は、点火器２０での点火薬２２の燃焼によって生じるエネルギーで加圧されることでノズル部６の開口部６ｂから射出されることになる。
【００３３】
ここで、注射器１への各構成要素の組み立て順序について、図１および図３に基づいて説明する。先ず、ハウジング２の後端部側からノズル部６を保持した状態のノズルホルダ
５を挿入する。このとき、ノズル部６内の凹部６ｃには、注射液が装填された状態となっている。なお、図３においては、各構成要素の存在を把握しやすいように、ノズルホルダ５とノズル部６は、分離された状態で示されている。このとき、ノズルホルダ５の胴部５１と首部５２とで形成される段状部分が、ハウジング２の段部２ｃに突き当たるまで、ノズルホルダ５をハウジング２内に挿入する。当該段状部分が段部２ｃに突き当たった状態で、ノズルホルダ５に保持されているノズル部６の開口部６ｂが、ハウジング２の先端部側に露呈した状態となる。
【００３４】
次に、ハウジング２の後端部側から、ピストン４を貫通孔３１に保持した状態のピストンホルダ３を挿入する。なお、図３においては、各構成要素の存在を把握しやすいように、ピストンホルダ３とピストン４は、分離された状態で示されている。このとき、ピストンホルダ３の首部３３がノズルホルダ５の内孔５ａ内に挿入し、ピストンホルダ３の胴部３２と首部３３とで形成される段状部分が、ノズルホルダ５の後端部に突き当たるまで、ピストンホルダ３をハウジング２内に挿入する。当該段状部分がノズルホルダ５の後端部に突き当たった状態で、ピストン４に取り付けられた封止部材４ａと、ノズル部６の凹部６ｃとの間に、収容空間１３が形成されることになる。なお、凹部６ｃの内径は、貫通孔３１の内径と一致しており、ピストン４（もしくはピストン４に取り付けられた封止部材４ａ）は、凹部６ｃの内部にまで推進可能であり、封止部材４ａが凹部６ｃの底面（先端部側の内壁面）に接触したとき、収容空間１３の体積は、概ね零となる。
【００３５】
次に、ハウジング２の後端部側から、点火器ホルダ１２を挿入する。なお、上記の通り、点火器ホルダ１２内には、点火器２０によって生成される燃焼生成物が放出される燃焼室１１の密封性を高めるために、ピストンホルダ３の後端部面と点火器ホルダ１２の先端部面との間にＯリング９が配置されている。ここで、点火器２０による燃焼エネルギーをピストン４に効率的に伝えるために、燃焼室１１の内径（φＡ）は、ピストン４の外径（もしくは、貫通孔３１の内径）（φＢ）よりも若干大きく設計されている。そのため、ピストンホルダ３の後端部面が燃焼室１１に露出し、点火器２０からの燃焼エネルギーによる圧力を受け得る受圧面３４が存在することとなる。
【００３６】
点火器ホルダ１２の挿入後は、点火器２０が点火器ホルダ１２に配置され、その後にキャップ３０がハウジング２側に結合されることで、注射器１の組み立てが完了する。
【００３７】
このように構成される注射器１では、点火器２０に対して電源部が接続され、電源部からの電流によって点火器２０が作動する。すると点火薬２２の燃焼によって、燃焼室１１内に燃焼生成物が充満し、その圧力を注射液の射出のためのエネルギーとしてピストン４に伝える。エネルギーを受けてピストン４は貫通孔３１を推進していき、収容空間１３に収容されている注射液に圧力を加えていくことで、ノズル部６の流路６ａを経て注射対象物に向かって注射液が射出されることになる。射出された注射液には圧力が掛けられているため、注射対象物の表面を貫通し、その内部に注射液が到達することで、注射器１における注射の目的を果たすことが可能となる。
【００３８】
ここで、ピストンホルダ３の後端部面においては、受圧面３４が形成されていることから、注射液の射出時に、点火器２０によって生じたエネルギーは、ピストンホルダ３を注射器１の先端部側に押し出す力として作用する。このとき、仮に、ピストンホルダ３が、ノズルホルダ５に保持された状態になっているノズル部６に接触していると、受圧面３４が受けたエネルギーが不必要にノズル部６にまで伝わり、その結果、ノズル部６の変形、破損を引き起こし得る。そこで、この点を踏まえ、本実施例に係る注射器１では、図１に示す状態において、ピストンホルダ３の首部３３の先端部面と、ノズルホルダ５に保持された状態にあるノズル部６の後端部面とが直接に接触しない非接触状態が、形成されている。当該非接触状態においては、首部３３の先端部面とノズル部６の後端部面との間に所
定の距離Δｄが確保され、当該距離Δｄは、受圧面３４が燃焼エネルギーを受けたときに生じ得るピストンホルダ３の微小な変形においても、首部３３の先端部面とノズル部６の後端部面との非接触状態を維持し得る程度の値とされる。したがって、注射器１においては、点火器２０での燃焼エネルギーの発生の前後において、首部３３の先端部面とノズル部６の後端部面との非接触状態は維持されることになる。例えばこのΔｄは０．１ｍｍに設定することが出来る。
【００３９】
なお、図１に示す状態では、上記非接触状態を形成する空間（首部３３の先端部面とノズル部６の後端部面との間の距離Δｄによる空間であり、以降では「隔離空間」と称する）８には、弾性部材７が配置されている。弾性部材７は、ピストンホルダ３とノズル部６によって挟まれた状態となっているため、上記のピストンホルダ３の微小な移動が生じた場合であっても、弾性部材７の存在によりピストンホルダ３がノズル部６に直接に接触するのを確実に回避でき、また弾性部材７の弾性力により、点火器２０での燃焼エネルギーの発生時の衝撃を効果的に減衰することができる。なお、本発明に係る注射器の効果を得るためには、当該弾性部材７は必ずしも必要ではなく、上記隔離空間の存在により非接触状態が維持されるのであれば弾性部材７の配置を省略してもよい。
【００４０】
このように首部３３の先端部面とノズル部６の後端部面とを、点火器２０での燃焼エネルギーの発生の前後において、すなわち、注射液の射出の前後において非触状態が維持可能となるように注射器１が設計されることで、ノズル部６に不必要に外力が掛かることで生じるノズル部６の変形、破損等を回避することができる。特に、ノズル部６が生産性の観点等から樹脂等の比較的強度が低い素材で形成されている場合には、ノズル部６内の流路が外力により変形等しやすいため、適切な注射液の射出を担保するという観点からも、本実施例に係る注射器１の構造は極めて有用なものと考えられる。
【００４１】
＜変形例＞
図１に示す注射器１においては、ピストンホルダ３の後端部面に受圧面３４が形成されているが、このような受圧面が形成されない場合であっても、すなわち、燃焼室１１の内径（φＡ）がピストン４の外径（φＢ）よりも小さい場合であっても、上述した「首部３３の先端部面とノズル部６の後端部面との非接触状態を維持する」構成は、有用である。点火器２０による燃焼エネルギーを受けてピストン４が貫通孔３１内を先端部側に推進する際、ピストンホルダ３は、ピストン４から摩擦力を受け、その力が、同じようにピストンホルダ３を先端部側に押し出す力として作用するからである。このようなケースにおいても、「首部３３の先端部面とノズル部６の後端部面との非接触状態を維持する」構成が採用されることで、ノズル部６の変形等を回避し、適切な注射液の射出を担保することが可能となる。
【実施例２】
【００４２】
図４に、本発明の第二の実施例に係る注射器１の概略構成を示す。「首部３３の先端部面とノズル部６の後端部面との非接触状態」については、図１に示す注射器１では、ピストンホルダ３の胴部３２と首部３３とで形成される段状部分が、ノズルホルダ５の後端部に突き当たることで、形成および維持される。しかしながら、本実施例においては、それとは異なる構成により、上記非接触状態の形成および維持が実現される。
【００４３】
具体的には、図４に示す注射器１に示すように、ハウジング２の内孔２ａにおいて、図１に示す段部２ｃは設けられず、内孔２ａは後端部側から先端部側まで一定の内径を有する貫通孔として形成される。そして、内孔２ａの途中に、ハウジング２内に突出する環状の突部２ｄが設けられている。当該突部２ｄは、後述するようにノズルホルダ５の後端部面およびピストンホルダ３の胴部３２の先端部面と面接触するために、先端部側および後端部側がそれぞれ平面状に形成され、且つ所定の厚みを有する板状に形成されている。
【００４４】
本実施例に係る注射器１においては、このように構成されるハウジング２に対して、ノズル部６を保持した状態のノズルホルダ５が、該ノズルホルダ５の後端部面が突部２ｄに接触するまで、先端部側から挿入される。挿入されたノズルホルダ５は、先端部側からハウジング２に対して螺合されるキャップ１０によって、ハウジング２内に固定される。一方で、ハウジング２に対して、ピストン４を保持した状態のピストンホルダ３が、該ピストンホルダ３の胴部３２の先端部面が突部２ｄに接触するまで、後端部側から挿入され、その後、更に点火器ホルダ１２がハウジング２内に挿入され、点火器２０、キャップ３０が取り付けられる。
【００４５】
このように構成される注射器１においては、ピストンホルダ３の胴部３２と首部３３とで形成される段状部分は、ノズルホルダ５に直接に突き当たった状態とはならないが、ノズルホルダ５とピストンホルダ３が突部２ｄに接触した状態では、ピストンホルダ３の首部３３が、ノズルホルダ５の内孔５ａに挿入された状態となり、且つ、首部３３の先端部面とノズル部６の後端部面との間には、上記の「非接触状態」が形成されることになる。したがって、点火器２０による燃焼エネルギー発生の前後にわたって、ノズル部６に不必要な力が掛かるのを抑制することが可能となる。なお、図４では突部ｄはハウジング２に対して一体に形成されているが、例えば突部２ｄをハウジング２とは別体の金属ワッシャ状とし、配置することが出来る。この場合では、図１に示すようなハウジング２の後端側から各構成部品を挿入・組立する注射器にも適用可能である。
【００４６】
＜その他の実施例＞
本発明に係る注射器１によれば、上述した注射液を皮膚構造体に注射する場合以外にも、例えば、再生医療の分野において、注射対象となる細胞や足場組織・スキャフォールドに培養細胞、幹細胞等を播種することが可能となる。例えば、特開２００８−２０６４７７号公報に示すように、移植される部位及び再細胞化の目的に応じて当業者が適宜決定し得る細胞、例えば、内皮細胞、内皮前駆細胞、骨髄細胞、前骨芽細胞、軟骨細胞、繊維芽細胞、皮膚細胞、筋肉細胞、肝臓細胞、腎臓細胞、腸管細胞、幹細胞、その他再生医療の分野で考慮されるあらゆる細胞を、注射器１により注射することが可能である。
【００４７】
さらには、特表２００７−５２５１９２号公報に記載されているような、細胞や足場組織・スキャフォールド等へのＤＮＡ等の送達にも、本発明に係る注射器１を使用することができる。この場合、針を用いて送達する場合と比較して、本発明に係る注射器１を使用した方が、細胞や足場組織・スキャフォールド等自体への影響を抑制できるためより好ましいと言える。
【００４８】
さらには、各種遺伝子、癌抑制細胞、脂質エンベロープ等を直接目的とする組織に送達させたり、病原体に対する免疫を高めるために抗原遺伝子を投与したりする場合にも、本発明に係る注射器１は好適に使用される。その他、各種疾病治療の分野（特表２００８−５０８８８１号公報、特表２０１０−５０３６１６号公報等に記載の分野）、免疫医療分野（特表２００５−５２３６７９号公報等に記載の分野）等にも、当該注射器１は使用することができ、その使用可能な分野は意図的には限定されない。
【符号の説明】
【００４９】
１・・・・注射器
２・・・・ハウジング
２ａ・・・・内孔
２ｂ・・・・貫通孔
２ｃ・・・・段部
２ｄ・・・・突部
３・・・・ピストンホルダ
４・・・・ピストン
４ａ・・・・封止部材
５・・・・ノズルホルダ
５ａ・・・・内孔
５ｂ・・・・テーパー部
６・・・・ノズル部
６ａ・・・・流路
６ｂ・・・・開口部
６ｃ・・・・凹部
７・・・・弾性部材
８・・・・隔離空間
９・・・・Ｏリング
１０・・・・キャップ
１１・・・・燃焼室
１２・・・・点火器ホルダ
１３・・・・収容空間
２０・・・・点火器
３１・・・・貫通孔
３２・・・・胴部
３３・・・・首部
３４・・・・受圧面
５１・・・・胴部
５２・・・・首部
【図１】
2014104112.tif 000003
【図２】
2014104112.tif 000004
【図３】
2014104112.tif 000005
【図４】
2014104112.tif 000006